(57)【特許請求の範囲】
【請求項１】
突き合わせ接続した光ファイバの対を半割りの素子の間にバネの弾性によってクランプして光ファイバ同士の接続状態を維持するクランプ部を具備した光コネクタを保持するコネクタホルダ部と、このコネクタホルダ部に保持された前記光コネクタの前記素子間を押し開いて前記光ファイバを挿脱可能に維持すべく前記素子の間に割り込ませる介挿部材と、この介挿部材を前記クランプ部の素子間に挿脱せしめるために前記介挿部材を駆動すると共に前記コネクタホルダ部が周方向の一部に設けられたリング状の介挿部材駆動部と、を備えた光コネクタ用工具において、
前記介挿部材駆動部は、前記コネクタホルダ部の一部をなすと共に前記光コネクタのクランプ部から介挿部材を引き抜く際に前記光コネクタが押し当てられるストッパ壁部と、このストッパ壁部に形成されていると共に前記介挿部材を通過可能な介挿部材用窓部と、当該介挿部材駆動部のリング状の内部空間を介して前記ストッパ壁部とは反対側に位置する可動端部と、この可動端部に設けられていると共に前記介挿部材を保持する介挿部材保持部と、を備え、
前記介挿部材は、前記介挿部材用窓部を通過して前記ストッパ壁部の外面側に突出する先端に設けられていると共に前記素子間に挿入される先端部と、前記介挿部材保持部に保持されると共に前記先端部が前記素子間に挿入される第１方向にスライドして係止可能に設けた基部と、この基部が前記介挿部材保持部に対して相対的に前記第１方向にスライドしたときに前記介挿部材保持部との間に形成される隙間部と、を備え、
前記介挿部材駆動部は、前記可動端部を押圧する前の原位置に前記可動端部及び前記介挿部材保持部を配置しているとき、前記隙間部を解消する第２方向に前記介挿部材を付勢する付勢手段をさらに備え、前記可動端部を前記原位置から前記第１方向に押圧した後にこの押圧力を解除したとき、前記可動端部及び前記介挿部材保持部を前記原位置に復帰せしめる復帰力を備えていることを特徴とする光コネクタ用工具。
【請求項２】
前記介挿部材保持部に、複数の介挿部材がそれぞれ独立してスライド可能に設けられていることを特徴とする請求項１記載の光コネクタ用工具。
【請求項３】
前記介挿部材保持部が前記介挿部材に対応する係合穴部を有し、前記介挿部材の基部が前記係合穴部に挿通してスライド可能なスライド部と、このスライド部の後端に設けられて前記係合穴部に係止する係止部と、を有していることを特徴とする請求項１又は２記載の光コネクタ用工具。
【請求項４】
前記隙間部を形成する介挿部材保持部と介挿部材の基部との相対面の近傍に、前記隙間部を識別する識別マークを設けてなることを特徴とする請求項１、２又は３記載の光コネクタ用工具。
【請求項５】
前記隙間部に、識別用の着色を付してなることを特徴とする請求項１、２、３又は４記載の光コネクタ用工具。
【請求項６】
突き合わせ接続した光ファイバの対を半割りの素子の間にバネの弾性によってクランプして光ファイバ同士の接続状態を維持するクランプ部を具備した光コネクタの外側に請求項１、２、３、４又は５に記載の光コネクタ用工具が取り付けられ、前記クランプ部の素子の間に、前記光コネクタ用工具の介挿部材の先端部を割り込ませており、前記介挿部材駆動部の復帰力により前記介挿部材と介挿部材保持部との間に隙間部が形成されていることを確認できる構成であることを特徴とする工具付き光コネクタ。
【発明の詳細な説明】
【技術分野】
【０００１】
この発明は、光コネクタ用工具、及び前記光コネクタ用工具を取り付けた工具付き光コネクタに関し、特に突き合わせ接続した光ファイバの対をクランプして光ファイバ同士の接続状態を維持する機構を具備した光コネクタに適用される光コネクタ用工具、及び前記光コネクタ用工具を取り付けた工具付き光コネクタに関する。
【背景技術】
【０００２】
近年、光ファイバ先端への組立作業を、工場以外の接続現場にて行うことができる光コネクタとして、予め光ファイバを内装固定して先端面に研磨を施したフェルールと、このフェルールの後部（先端面と対向する位置）に配置したクランプ部とを具備し、このクランプ部においてフェルール側の光ファイバと、この光ファイバに突き当てた別の接続用の光ファイバとを、前記クランプ部の半割りの素子にクランプすることで突き合わせ接続状態を維持し、短時間で光コネクタの組立を行うことができるものが知られている。ここで、クランプ部はサイズが小さいために、特許文献１及び特許文献２に示されているように、素子の開閉操作を行う専用の工具（光コネクタ組立工具）が提案されている。
【０００３】
ところが、上記の特許文献１及び特許文献２の構造の光コネクタ組立工具では、光コネクタのクランプ部の操作を実現するために、サイズの小さい素子の間に、高精度に加工された楔を正確に挿脱できるように精密に構成される必要があり、低コスト化が困難であるといった問題があった。また、サイズに関しては、例えば装置筐体内などの狭隘な作業空間に挿入できないといったケースもあり、また、装置筐体の外に設置した光コネクタ組立工具にて、光ファイバ先端へのコネクタ付けを行う場合には、装置筐体から光ファイバを引き出すための引き出し余長が確保される必要があるので、小型化、低コスト化が困難であるといった問題もあった。
【０００４】
そこで、特許文献３に示される光ファイバ接続用工具が開発されている。すなわち、この光ファイバ接続用工具は、上記の光コネクタの前記クランプ部の外側から前記素子の間に割り込ませることによって前記素子間を押し開いて、素子間への前記別の光ファイバの挿脱が可能な状態を維持する介挿部材と、前記クランプ部の素子間に割り込ませた介挿部材を前記クランプ部から引き抜くためのリング状の介挿部材駆動部と、この介挿部材駆動部の周方向の一部に介在させるようにして設けられ、前記光コネクタの前記クランプ部から介挿部材を引き抜く際に前記光コネクタが押し当てられるストッパ壁とを有している。
【０００５】
さらに、前記介挿部材は、前記介挿部材駆動部の前記ストッパ壁とは逆の側の端部である可動端部から前記ストッパ壁に形成されている介挿部材用窓を貫通して前記ストッパ壁の外面側に突出されている。
【０００６】
また、前記介挿部材駆動部は、前記ストッパ壁と前記可動端部との間に位置する部分に対向する両側から作用させた側圧によって、前記ストッパ壁と前記可動端部との間の距離が増大するように変形されることで、前記介挿部材を前記ストッパ壁からの突出量が減少又は前記ストッパ壁からの突出が解消するように移動させるものである。
【０００７】
加えて、上記の光ファイバ接続用工具を取り付けた工具付き光コネクタが提案されている。
【特許文献１】特開２００２−２３００６号公報
【特許文献２】特開２００２−５５２５９号公報
【特許文献３】特開２００５−９９７０６号公報
【発明の開示】
【発明が解決しようとする課題】
【０００８】
ところで、従来の特許文献３に示される工具付き光コネクタは、予め、光ファイバ接続用工具が光コネクタに取り付けられて出荷される。すなわち、光コネクタのクランプ部の外側から前記素子の間に割り込ませた光ファイバ接続用工具の介挿部材によって前記素子間が押し開かれ、素子間への前記別の光ファイバの挿脱が可能な状態が維持されて出荷される。
【０００９】
現場では、光ファイバ接続時には、前記別の光ファイバを前記素子間に挿入して光ファイバ同士を突き合わせた状態で、介挿部材駆動部を両側から作用させた側圧によって前記介挿部材を素子の間から抜き出す操作を行うことにより、光ファイバがクランプ部の半割りの素子でクランプされることで光ファイバ同士の突き合わせ接続状態が維持される。
【００１０】
上記の光ファイバ同士を突き合わせた状態で介挿部材が前記素子の間から抜き出されることが必要であり、このタイミングがずれてしまうと、光ファイバ同士の突き合わせ接続が外れるという問題点があった。例えば、前記介挿部材が素子の間から十分に抜け切っていない状態で、光ファイバの後方側の処理などの次の作業が行われると、上記の素子の間における光ファイバ同士の突き合わせ接続状態が不十分になるので接続不良等が発生する。
【００１１】
しかし、光ファイバ接続用工具は、介挿部材と介挿部材駆動部が一体的に設けられており、前記介挿部材が前記素子の間から十分に抜け切っているかどうかを目視確認することができない場合が生じるために、上記のような接続不良等が発生するという問題点があった。
【００１２】
なお、前記介挿部材が前記素子の間から十分に抜け切っているかどうかを確認するために、前記介挿部材が抜け切ったところで検知音を発生せしめる構造として例えば、前記介挿部材の側面に突起部を設け、前記介挿部材が移動するときに前記突起部に接触して変形される弾性片を例えば前記ストッパ壁に設け、前記介挿部材が移動して前記素子の間から抜け切ったところで前記弾性片が突起部から外れて復帰する際に検知音を発生する構造とすることができるが、この構造では検知音を確認できないような騒がしい環境では不十分である。
【００１３】
この発明は上述の課題を解決するためになされたものである。
【課題を解決するための手段】
【００１４】
この発明の光コネクタ用工具は、突き合わせ接続した光ファイバの対を半割りの素子の間にバネの弾性によってクランプして光ファイバ同士の接続状態を維持するクランプ部を具備した光コネクタを保持するコネクタホルダ部と、このコネクタホルダ部に保持された前記光コネクタの前記素子間を押し開いて前記光ファイバを挿脱可能に維持すべく前記素子の間に割り込ませる介挿部材と、この介挿部材を前記クランプ部の素子間に挿脱せしめるために前記介挿部材を駆動すると共に前記コネクタホルダ部が周方向の一部に設けられたリング状の介挿部材駆動部と、を備えた光コネクタ用工具において、
前記介挿部材駆動部は、前記コネクタホルダ部の一部をなすと共に前記光コネクタのクランプ部から介挿部材を引き抜く際に前記光コネクタが押し当てられるストッパ壁部と、このストッパ壁部に形成されていると共に前記介挿部材を通過可能な介挿部材用窓部と、当該介挿部材駆動部のリング状の内部空間を介して前記ストッパ壁部とは反対側に位置する可動端部と、この可動端部に設けられていると共に前記介挿部材を保持する介挿部材保持部と、を備え、
前記介挿部材は、前記介挿部材用窓部を通過して前記ストッパ壁部の外面側に突出する先端に設けられていると共に前記素子間に挿入される先端部と、前記介挿部材保持部に保持されると共に前記先端部が前記素子間に挿入される第１方向にスライドして係止可能に設けた基部と、この基部が前記介挿部材保持部に対して相対的に前記第１方向にスライドしたときに前記介挿部材保持部との間に形成される隙間部と、を備え、
前記介挿部材駆動部は、前記可動端部を押圧する前の原位置に前記可動端部及び前記介挿部材保持部を配置しているとき、前記隙間部を解消する第２方向に前記介挿部材を付勢する付勢手段をさらに備え、前記可動端部を前記原位置から前記第１方向に押圧した後にこの押圧力を解除したとき、前記可動端部及び前記介挿部材保持部を前記原位置に復帰せしめる復帰力を備えていることを特徴とする光コネクタ用工具。
【００１５】
また、この発明の光コネクタ用工具は、前記光コネクタ用工具において、前記介挿部材保持部に、複数の介挿部材がそれぞれ独立してスライド可能に設けられていることが好ましい。
【００１６】
また、この発明の光コネクタ用工具は、前記光コネクタ用工具において、前記介挿部材保持部が前記介挿部材に対応する係合穴部を有し、前記介挿部材の基部が前記係合穴部に挿通してスライド可能なスライド部と、このスライド部の後端に設けられて前記係合穴部に係止する係止部と、を有していることが好ましい。
【００１７】
また、この発明の光コネクタ用工具は、前記光コネクタ用工具において、前記隙間部を形成する介挿部材保持部と介挿部材の基部との相対面の近傍に、前記隙間部を識別する識別マークを設けていることが好ましい。
【００１８】
また、この発明の光コネクタ用工具は、前記光コネクタ用工具において、前記隙間部に、識別用の着色を付していることが好ましい。
【００１９】
この発明の光工具付き光コネクタは、突き合わせ接続した光ファイバの対を半割りの素子の間にバネの弾性によってクランプして光ファイバ同士の接続状態を維持するクランプ部を具備した光コネクタの外側に上述したこの発明の光コネクタ用工具が取り付けられ、前記クランプ部の素子の間に、前記光コネクタ用工具の介挿部材の先端部を割り込ませており、前記介挿部材駆動部の復帰力により前記介挿部材と介挿部材保持部との間に隙間部が形成されていることを確認できる構成であることを特徴とするものである。
【発明の効果】
【００２０】
以上のごとき課題を解決するための手段から理解されるように、この発明の光コネクタ用工具によれば、光コネクタをコネクタホルダ部に保持した後に、介挿部材駆動部の原位置にある可動端部を押圧し、介挿部材保持部に保持されている介挿部材を移動せしめて、介挿部材の先端部を前記光コネクタのクランプ部の一対の素子間に挿入する。もし、前記介挿部材の先端部が前記素子間に挿入される場合は、前記可動端部の押圧を解除すると、前記介挿部材駆動部がそれ自体の復帰力により原位置へ復帰するが、前記介挿部材は復帰しないので、前記介挿部材保持部と基部の間に隙間部を形成できる。
【００２１】
一方、前記介挿部材の先端部が前記素子間に挿入されない場合は、前記可動端部の押圧を解除すると、前記介挿部材駆動部がそれ自体の復帰力により原位置へ復帰し、且つ前記介挿部材も前記隙間部を解消する方向の付勢力によって復帰し、前記隙間部が解消される。
【００２２】
これにより、光コネクタ用工具の使用者が前記隙間部を目視確認することで、前記介挿部材の先端部がクランプ部の素子間に挿入されたことを確実に確認できる。その結果、光ファイバ同士を前記素子間で確実に突き合わせ接続でき、この状態で、介挿部材駆動部の可動端部とコネクタホルダ部との間の距離を増大せしめるように介挿部材駆動部を作動して、介挿部材保持部の介挿部材を前記素子間から抜き出し、前記素子間の光ファイバ同士をクランプ部でクランプ固定できる。したがって、介挿部材の素子間からの不完全な抜き出しがなくなるので光ファイバの接続不良の発生をなくすることができる。
【００２３】
また、この発明の工具付き光コネクタによれば、上述した光コネクタの外側にこの発明の光コネクタ用工具を取り付けているので、前記介挿部材と介挿部材保持部との間に隙間部が形成されていることを目視確認することで、前記光コネクタ用工具の介挿部材の先端部が前記光コネクタのクランプ部の素子間に挿入されていることを確実に確認できる。上述した光コネクタ用工具の効果と同様である。
【発明を実施するための最良の形態】
【００２４】
以下、この発明の実施の形態について図面を参照して説明する。
【００２５】
図１〜図４を参照するに、この実施の形態に係る工具付き光コネクタ１は光コネクタプラグである光コネクタ３の外側に、この実施の形態に係る光コネクタ用工具５を装着した構成のものである。
【００２６】
図１における光コネクタ３は、所謂ＳＣ２形光コネクタであり、ＳＣ形光コネクタから、当該ＳＣ形光コネクタのプラグフレーム３Ｃ（図９及び図１３参照）の外側に装着されるつまみを省略したものである。なお、上記のＳＣ形光コネクタ（ＳＣ：Single fiber Coupling optical fiber Connector）は、ＪＩＳ  Ｃ  ５９７３に制定されるＦ０４形光コネクタ（光コネクタプラグ）などをいう。また、上記の光コネクタ３としては、前述したＳＣ２形光コネクタに限定されず、単心あるいは多心の各種の光コネクタプラグを採用可能である。
【００２７】
図９及び図１０を参照するに、この光コネクタ３は、フェルール３Ａと、このフェルール３Ａの先端面の接合端面３Ａ１に対向する後端側に配置されたクランプ部３Ｂと、フェルール３Ａを収納するようにしてその外側にフェルール３Ａの軸回りの回転を規制して装着されるスリーブ状のプラグフレーム３Ｃと、プラグフレーム３Ｃの図１０において右側の後端に係合して取付けられると共に前記クランプ部３Ｂを収容するストップリング３Ｄと、このストップリング３Ｄ内に内装されたスプリング３Ｅとを備えている。
【００２８】
なお、上記のストップリング３Ｄにおいて符号３Ｄ１、３Ｄ２ は、図１に示される光コネクタ用工具５の介挿部材７を差し込む差込口を示すものであり、符号３Ｆは、ストップリング３Ｄの後端に装着されるブーツを示すものである。但し、ブーツ３Ｆは、光コネクタ３の図１０において右側の後端側からクランプ部３Ｂに光ファイバ９を挿入する際に、前記光ファイバ９に予め通しておき、クランプ部３Ｂへの光ファイバ９の挿入完了後にストップリング３Ｄに装着される。
【００２９】
上記のクランプ部３Ｂは、複数の部材がフェルール３Ａのフランジ部３Ａ２から光コネクタ３の後端側へ向かって延びる延出部３Ａ３に組み付けられた構成であり、フェルール３Ａと一体となっている。以下、クランプ部３Ｂを組み立てたフェルール３Ａは、「クランプ部付きフェルール３Ｇ」と称して説明する場合がある。
【００３０】
上記のクランプ部付きフェルール３Ｇのクランプ部３Ｂは、スリーブ状のストップリング３Ｄの軸方向に移動自在としてストップリング３Ｄに収納されている。スプリング３Ｅは、ストップリング３Ｄの後端部に反力を取ってクランプ部３Ｂを光コネクタ３の図１０において左側の先端側に押圧することにより、クランプ部付きフェルール３Ｇの全体を光コネクタ３の先端側に付勢するものである。例えば、光コネクタ３を図示しない光コネクタアダプタ等に挿入して図示しない別の光コネクタと接続する時に、フェルール３Ａに対して接続の相手側の光コネクタとの間の突き合わせ力を与える機能を果たすものである。
【００３１】
なお、クランプ部付きフェルール３Ｇは、フェルール３Ａのフランジ部３Ａ２がプラグフレーム３Ｃ内に突設されているストッパ突起３Ｃ１に当接することにより、ストップリング３Ｄの付勢力に対する光コネクタ３の先端側に向けてそれ以上の移動、すなわちストップリング３Ｄに対する相対的な移動が規制される。
【００３２】
図１０〜図１２を参照するに、クランプ部３Ｂは、フェルール３Ａのフランジ部３Ａ２から延びる延出部３Ａ３と、この延出部３Ａ３の合わせ面３Ｉ３上に配置された蓋側素子３Ｈ１、３Ｈ２が、断面Ｃ形のスリーブ状のバネ３Ｊ（Ｃ形バネ）の内側に収容された構造になっている。なお、図１２では、図１１におけるクランプ部付きフェルール３Ｇのクランプ部３Ｂを構成する２つの蓋側素子３Ｈ１、３Ｈ２と、ベース側素子３Ｈ３（延出部３Ａ３）との合わせ面が示されている。
【００３３】
また、上記の延出部３Ａ３は、クランプ部３Ｂを構成する半割りの素子の一方を構成するものであり、以下、分かり易く「３Ｈ３」と称することもある。２つの蓋側素子３Ｈ１、３Ｈ２（この２つを合わせて「素子３Ｈ」という）は、クランプ部３Ｂを構成する半割りの素子の他方を構成している。つまり、クランプ部３Ｂは、一対の半割りの素子３Ｈと素子３Ｈ３との間で光ファイバをクランプする構造になっている。
【００３４】
また、上記の２つの蓋側素子３Ｈ１、３Ｈ２は、一方の素子３Ｈ１が他方の素子３Ｈ２よりもフェルール３Ａの側となるように、光コネクタ３の前後方向、すなわち図１０の左右方向に配列されている。また、バネ３Ｊは、２つの蓋側素子３Ｈ１、３Ｈ２の間の境界付近でバネ３Ｊに形成されているスリット３Ｊ１によって、当該バネ３Ｊの弾性が２つの蓋側素子３Ｈ１、３Ｈ２に別個に作用するように構成されている。つまり、一方の蓋側素子３Ｈ１と延出部３Ａ３の組、並びに他方の蓋側素子３Ｈ２と延出部３Ａ３の組は、それぞれ独立のクランプ部としても機能できる構成である。なお、バネ３Ｊの形状は断面コ字形状のように各種採用可能である。
【００３５】
また、上記のフェルール３Ａには光ファイバ１１が内挿固定されている。この実施の形態では前記光ファイバ１１は裸光ファイバであり、以下、「フェルール側光ファイバ」ともいう。このフェルール側光ファイバ１１は、フェルール３Ａの後端から突出されている。このフェルール後端から突出された部分である突出部１１Ａは、クランプ部３Ｂの一対の素子３Ｈ、３Ｈ３の間に挿入されており、クランプ部３Ｂの一対の素子３Ｈ、３Ｈ３の一方又は両方の合わせ面に形成されている調心溝３Ｋに収納されて精密に位置決め調心される。なお、この実施の形態では、上記の調心溝３Ｋは図１２に示されているように素子３Ｈ３の合わせ面３Ｉ３のみに形成されている。
【００３６】
また、クランプ部３Ｂには、当該クランプ部３Ｂの後端部から一対の素子３Ｈ、３Ｈ３の間に挿入される光ファイバ９の先端を調心溝３Ｋに導く溝３Ｋ１、３Ｋ２が形成されている。なお、この実施の形態では、光ファイバ９は単心の光ファイバ心線である。前記溝３Ｋ１、３Ｋ２は、調心溝３Ｋよりもクランプ部３Ｂの後端側にずれた位置で、クランプ部３Ｂの一対の素子３Ｈ、３Ｈ３の一方又は両方の合わせ面に形成されている。さらに、前記溝３Ｋ１、３Ｋ２は、クランプ部３Ｂの後端部に開口する開口部３Ｋ３を有しており、この開口部３Ｋ３からフェルール３Ａに向かって延在するように形成されている。
【００３７】
さらに、前記溝３Ｋ１、３Ｋ２のフェルール３Ａの側の端部は調心溝３Ｋに連通されている。この実施の形態の光コネクタ３では、図１０及び図１２に示されているように溝３Ｋ１、３Ｋ２が素子３Ｈ３の合わせ面３Ｉ３と、素子３Ｈ２の合わせ面３Ｉ２の両方に形成されている。この溝３Ｋ１、３Ｋ２は、一対の素子３Ｈ、３Ｈ３の間で丁度対面する位置に、具体的には、素子３Ｈ３と素子３Ｈ２の丁度対面する位置に形成されている。
【００３８】
例えば、光コネクタ用工具５の介挿部材７が素子３Ｈ、３Ｈ３間に挿入された状態とすることにより、予め、バネ３Ｊの弾性に抗してクランプ部３Ｂの一対の素子３Ｈ、３Ｈ３間を押し広げておき、光ファイバ９の裸光ファイバ９Ａを露出した先端がストップリング３Ｄの後端部の開口部３Ｄ３に挿入されていくと、前記光ファイバ９は開口部３Ｄ３からクランプ部３Ｂの後端部に開口する開口部３Ｋ３に、すなわち溝３Ｋ１、３Ｋ２の開口部に挿入できる。
【００３９】
さらに、光ファイバ９は、フェルール３Ａの側へ押し込まれることによって、クランプ部３Ｂの後端部の開口部３Ｋ３から溝３Ｋ１、３Ｋ２に押し込まれる。さらに押し込まれることによって、光ファイバ９の先端の裸光ファイバ９Ａが溝３Ｋ１、３Ｋ２から調心溝３Ｋに押し込まれてフェルール側光ファイバ１１に突き合わせ接続できる。
【００４０】
上記のフェルール側光ファイバ１１は調心溝３Ｋのフェルール３Ａの側の端部から長手方向の中央部までの範囲に収納されており、光ファイバ９の先端の裸光ファイバ９Ａが調心溝３Ｋに挿入されることにより、前記裸光ファイバ９Ａの先端は調心溝３Ｋの調心精度によって精密に位置決め調心した状態で、フェルール側光ファイバ１１（詳綱には突出部１１Ａの先端）に対して突き合わせ接続できる。
【００４１】
なお、光ファイバ９は、裸光ファイバ９Ａの口出し長の設定によって、裸光ファイバ９Ａが調心溝３Ｋ内でフェルール側光ファイバ１１に突き当てられた際に、溝３Ｋ１、３Ｋ２のほぼ全長にわたって被覆部分が収納されるようにしておかれる。
【００４２】
上述したように光ファイバ９の先端の裸光ファイバ９Ａとフェルール側光ファイバ１１との突き合わせが保たれた状熊で、一対の素子３Ｈ、３Ｈ３間の押し広げが解除されると、例えば、素子３Ｈ、３Ｈ３間に挿入されている介挿部材７が素子３Ｈ、３Ｈ３間から引き抜かれると、バネ３Ｊの弾性によって素子３Ｈ、３Ｈ３間が開じられ、フェルール側光ファイバ１１と光ファイバ９が一対の素子３Ｈ、３Ｈ３間にクランプ固定される。
【００４３】
その結果、光ファイバ９の先端の裸光ファイバ９Ａとフェルール側光ファイバ１１との突き合わせ状態が維持される。また、光ファイバ９の被覆部分が溝３Ｋ１、３Ｋ２内にクランプ固定され、クランプ部３Ｂからの光ファイバ９の引き抜きが規制される。なお、溝３Ｋ１、３Ｋ２は、光ファイバ９の被覆部分を収納し、かつ、バネ３Ｊの弾性のクランプ力によってクランプ固定するための被覆収納溝を構成するものである。
【００４４】
なお、前述したフェルール側光ファイバ１１としては、例えば石英系光ファイバが採用されている。また、前述した光ファイバ９としては、光ファイバ心線に限定されず、例えば光ファイバ素線、光ファイバコード等も採用可能である。この別の光ファイバ（詳細には裸光ファイバ９Ａ）としては、例えば石英系光ファイバが採用されている。
【００４５】
また、前述した調心溝３Ｋは、この実施の形態では図４に示されているようにＶ溝であるが、例えば、Ｕ溝、丸溝（断面半円形の溝）等、各種構成が採用可能である。
【００４６】
次に、光コネクタ用工具５について図面を参照して説明する。
【００４７】
図１〜図６を参照するに、光コネクタ用工具５は、光コネクタ３の外側に組み付けられるコネクタホルダ部１３と、このコネクタホルダ部１３に組み付けられた前記光コネクタ３のクランプ部３Ｂの素子３Ｈ、３Ｈ３の間を押し開いて前記光ファイバ９、１１を挿脱可能に維持すべく前記素子３Ｈ、３Ｈ３の間に割り込ませる先端部７Ｃを有する介挿部材７と、この介挿部材７の先端部７Ｃを前記クランプ部３Ｂの素子３Ｈ、３Ｈ３間に挿脱せしめるために前記介挿部材７を駆動すると共に前記コネクタホルダ部１３が周方向の一部に設けられたリング状の介挿部材駆動部１５と、が備えられている。
【００４８】
なお、この実施の形態では、上記の介挿部材７は介挿部材駆動部１５に複数本（ここでは２本）が設けられている。各介挿部材７（７Ａ、７Ｂ）の介挿部材駆動部１５における設置位置は、リング状の介挿部材駆動部１５の軸線方向にずらされている。
【００４９】
上記のコネクタホルダ部１３について詳しく説明すると、コネクタホルダ部１３は、前記光コネクタ３のクランプ部３Ｂから介挿部材７を引き抜く際に前記光コネクタ３が押し当てられるストッパ壁部の一部である底壁１３Ｄと、この底壁１３Ｄから介挿部材駆動部１５の外側に向けて突設された一対の側壁１３Ｂ、１３Ｃと、この側壁１３Ｂ、１３Ｃの間に設けた収容凹所１３Ａとを有しており、断面コ字状に形成されている。前記収容凹所１３Ａは、光コネクタ３を取り出し可能に収容する溝状になっている。また、一対の側壁１３Ｂ、１３Ｃの先端には前記光コネクタ３を底壁１３Ｄへ押さえて保持するための保持爪部１３Ｅ、１３Ｆが設けられている。
【００５０】
また、コネクタホルダ部１３は、溝状の収容凹所１３Ａの延在方向中央部にて、左右に分離した形態で底壁１３Ｄから収容凹所１３Ａ内に突出する突壁状のコネクタ受け台１３Ｇ、１３Ｈを有している。このコネクタ受け台１３Ｇ、１３Ｈには、光コネクタ３のストップリング３Ｄを両側から嵌め込む凹形のコネクタ嵌合凹部１３Ｉが形成されている。なお、収容凹所１３Ａの延在方向は、リング状の介挿部材駆動部１５の中心軸線に沿うように向きを揃えてある。
【００５１】
したがって、一対の側壁１３Ｂ、１３Ｃには、光コネクタ３のプラグフレーム３Ｃの前記底壁１３Ｄと対面される側の側面が押し当てられる。さらに収容凹所１３Ａ内に保持される光コネクタ３は、ストップリング３Ｄがコネクタ受け台１３Ｇ、１３Ｈのコネクタ嵌合凹部１３Ｉにより両側から押し当てられることで、介挿部材駆動部１５の中心軸線に対して所望の姿勢で支持される。
【００５２】
なお、コネクタホルダ部１３の側壁１３Ｂ、１３Ｃ並びにコネクタ受け台１３Ｇ、１３Ｈは底壁１３Ｄで連結されている部分を除いて介挿部材用窓部１７を介して２分されているので、保持爪部１３Ｅ、１３Ｆの側が左右に開かれる構成である。
【００５３】
なお、図示例の光コネクタ用工具５では、収容凹所１３Ａに嵌め込んだ光コネクタ３のクランプ部３Ｂの中心軸線（調心溝３Ｋの調心軸線）と、介挿部材駆動部１５の中心軸線との向きが揃うようにされている。
【００５４】
さらに、光コネクタ３の構造によっては、光コネクタ３の前記コネクタホルダ部１３の収容凹所１３Ａ内に嵌め込む部分が、必ずしもプラグフレーム３Ｃに限定されない。いわゆるプラグフレームとは異なるハウジングであっても良い。この点、光コネクタ用工具５は、例えば、いわゆるプラグフレームを有していない構造の光コネクタや、プラグフレームの外側に装着されたハウジングを具備する光コネクタにも適用可能である。コネクタホルダ部１３は、光コネクタ３を介挿部材駆動部１５の中心軸線に対して所望の姿勢でガタ付かせること無く安定に支持できる構造であれば良く、適宜設計変更可能である。
【００５５】
また、光コネクタ３の軸方向（クランプ部３Ｂの中心軸線方向、並びに調心溝３Ｋの調心軸線）における光コネクタ用工具５の位置決めは、プラグフレーム３Ｃの後端面３Ｃ２へのコネクタ受け台１３Ｇ、１３Ｈの当接に限定されない。要するに、光コネクタ３の側部の突部又は凹所が光コネクタ用工具５に当接されることで、光コネクタ３の軸方向における位置決めを実現するための位置決め用当接部が設けられていることが好ましい。なお、位置決め用当接部としては、前述のコネクタ受け台１３Ｇ、１３Ｈ以外に様々な構成を採用できる。
【００５６】
なお、前記底壁１３Ｄは、前記介挿部材７が通過して収容凹所１３Ａに突出可能な介挿部材用窓部１７を介して２分されている。その他の介挿部材用窓部１７としては、例えばコネクタホルダ部１３の両側壁１３Ｂ、１３Ｃ間を連結する構成の底壁１３Ｄに穿孔した小孔等であっても良い。なお、介挿部材用窓部１７は、後述するように介挿部材駆動部１５が変形しても、介挿部材用窓部１７を貫通して配置されている介挿部材７の移動を妨げないものである。
【００５７】
次に、前記介挿部材駆動部１５について詳しく説明する。
【００５８】
介挿部材駆動部１５は、前記コネクタホルダ部１３の底壁１３Ｄの一部をなすストッパ壁部１５Ａと、このストッパ壁部１５Ａに形成されている前述した介挿部材用窓部１７と、当該介挿部材駆動部１５のリング状の内部空間Ｓを介して前記ストッパ壁部１５Ａとは反対側に位置する可動端部１５Ｂと、この可動端部１５Ｂに一体的に内部空間Ｓの側に突出するように設けられて前記介挿部材７を保持するための介挿部材保持部１９と、上記の可動端部１５Ｂとコネクタホルダ部１３との間を連結する一対の側部１５Ｃ、１５Ｄ（以下、連結壁部）を有して構成されている。
【００５９】
上記の連結壁部１５Ｃ、１５Ｄは、互いに対向するプレート状の連結プレート部１５Ｅを含んで全体として略「く」字形であり、しかも、各連結壁部１５Ｃ、１５Ｄは、「く」字の屈曲部の連結プレート部１５Ｅが互いに対面する向き、すなわち、コネクタホルダ部１３と可動端部１５Ｂとの間にて、前記屈曲部の連結プレート部１５Ｅが両側に張り出す向きでコネクタホルダ部１３と可動端部１５Ｂとの間を連結している。つまり、一対の連結壁部１５Ｃ、１５Ｄは、前記コネクタホルダ部１３の底壁１３Ｄから側壁１３Ｂ、１３Ｃとは逆向きに突出されており、その突出先端がそれぞれ前記可動端部１５Ｂに連結されている。
【００６０】
可動端部１５Ｂはプレート状であり、連結壁部１５Ｃ、１５Ｄのコネクタホルダ部１３からの突出先端は、可動端部１５Ｂの対向する両側に連結されており、可動端部１５Ｂは一対の連結壁部１５Ｃ、１５Ｄによってコネクタホルダ部１３のプレート状の底壁１３Ｄとほぼ平行となるように支持されている。
【００６１】
したがって、上記の介挿部材駆動部１５は、前記コネクタホルダ部１３の底壁１３Ｄを含んでほぼ断面八角形状（あるいは六角形状）のスリーブである駆動用構造体を構成している。
【００６２】
ここで、介挿部材駆動部１５は、具体的には、介挿部材保持部１９を除いてコネクタホルダ部１３から突出する概略Ｃ字状になっているが、この実施の形態において、介挿部材駆動部１５の形状を指す「リング状」とは、円形、楕円形、菱形、Ｃ字形等、コネクタホルダ部１３から膨出した形状全般を指すものである。また、介挿部材駆動部１５とコネクタホルダ部１３（具体的には底壁１３Ｄ）とによって構成される駆動用構造体としても、円形、楕円形、菱形、Ｃ字形等の「リング状」である。
【００６３】
但し、介挿部材駆動部１５の構成としては、コネクタホルダ部１３と可動端部１５Ｂとの間を連結する両側部（この実施の形態における連結壁部）が、両側に張り出すように形成されており、対向する両側からの押圧力（側圧）により両側部（連結壁部）を互いに接近させることにより、コネクタホルダ部１３と可動端部１５Ｂとの間の距離が増大して、介挿部材７が収容凹所１３Ａへの突出寸法を減少（あるいは突出を解消）する方向に駆動されるようになっている構成を採用する。また、介挿部材駆動部１５の形状としては、スリーブ状であることも含むものである。
【００６４】
なお、この実施の形態における介挿部材駆動部１５は、図３、図４に示されているように、介挿部材保持部１９に装着される介挿部材７を中心に左右対称に形成されているが、必ずしも、介挿部材７を中心に左右対称に形成されていることに限定されない。
【００６５】
次に、上記の介挿部材保持部１９及びこの介挿部材保持部１９に保持される介挿部材７について詳しく説明する。
【００６６】
図５及び図６を参照するに、この実施の形態では、前記介挿部材保持部１９には２つの介挿部材７Ａ、７Ｂに対応する係合穴部１９Ａが介挿部材駆動部１５の軸線方向にずらして設けられている。係合穴部１９Ａの上部には図６（Ａ）に示されているように介挿部材７のスライドを係止するための段付形状のスライド係止部１９Ｂが設けられている。
【００６７】
一方、各介挿部材７Ａ、７Ｂは、ストッパ壁部１５Ａの介挿部材用窓部１７を通過して前記ストッパ壁部１５Ａの外面側に突出する先端に設けられて光コネクタ３のクランプ部３Ｂの一対の素子３Ｈ、３Ｈ３の間に挿入される先端部７Ｃと、前記介挿部材保持部１９に保持されて前記先端部７Ｃが前記素子３Ｈ、３Ｈ３の間に挿入される第１方向に所定距離だけスライドして係止可能に設けた基部７Ｄが備えられている。また、前記介挿部材７の基部７Ｄには、前記介挿部材保持部１９の係合穴部１９Ａに挿通するスライド部７Ｅが設けられており、このスライド部７Ｅが二股状に分かれており、この二股状の後端には前記係合穴部１９Ａのスライド係止部１９Ｂに係止する係止用突部７Ｆが設けられている。
【００６８】
なお、楔状の先端部７Ｃとしては、例えば、図１４（Ａ）、（Ｂ）に示されているように、先端が鋭く尖った形状のもの（先端部７Ｃ１、７Ａ２）であっても良い。また、先端部７Ｃの形状は図示例のものに限定されない。例えば、一対の素子３Ｈ、３Ｈ３の間からの引き抜きのみを考慮する場合は、介挿部材７としては、一対の素子３Ｈ、３Ｈ３の間に割り込ませることにより、一対の素子３Ｈ、３Ｈ３をバネ３Ｊの弾性に抗して若干押し開かれた状熊に保持できれば良い。この点、介挿部材７の先端部７Ｃは、例えば、単純な板状、ピン状等、他の形状であってもよい。
【００６９】
また、上記の介挿部材保持部１９に装着された介挿部材７は、当該介挿部材７の基部７Ｄが前記介挿部材保持部１９に対して相対的に前記第１方向にスライドして係止用突部７Ｆが前記係合穴部１９Ａのスライド係止部１９Ｂに係止したときに、前記介挿部材保持部１９と基部７Ｄの間に隙間部２１が形成されるように構成されている。
【００７０】
また、前記介挿部材駆動部１５の原位置においては前記隙間部２１を解消する第２方向に前記介挿部材７を付勢する構成である。例えば、図６（Ａ）、（Ｂ）に示されているように、介挿部材７の基部７Ｄの側面に接触突部７Ｇが突設されており、介挿部材駆動部１５のストッパ壁部１５Ａ（底部１３Ｄ）には前記接触突部７Ｇに係合して、原位置にある介挿部材駆動部１５の介挿部材保持部１９と基部７Ｄの間に隙間部２１が生じないように、介挿部材７を介挿部材保持部１９の方向に常時付勢して付勢力を有する弾性片２３が突設されている。
【００７１】
また、前記介挿部材駆動部１５は、前記介挿部材７の先端部７Ｃが前記素子３Ｈ、３Ｈ３の間に挿入される方向に前記可動端部１５Ｂを前記原位置から押圧した後に前記可動端部１５Ｂに対する押圧力を解除したとき、前記可動端部１５Ｂ及び介挿部材保持部１９を原位置に復帰せしめる復帰力を備えている。
【００７２】
なお、上記の隙間部２１を解消する構造の他の実施の形態としては、前述した弾性片２３に変えて、例えば図７（Ａ）、（Ｂ）に示されているように前記係合穴部１９Ａの段付形状のスライド係止部１９Ｂにスプリング装着用穴部２５を設け、このスプリング装着用穴部２５と介挿部材７の係止用突部７Ｆとの間に装着して前記係止用突部７Ｆを介して介挿部材７を常時前記第２方向へ付勢せしめるスプリング２７等の弾性部材を設けても良い。あるいは、図示していないが、介挿部材駆動部１５の下面に設けた第１フック部と、介挿部材７の基部７Ｄの側面に設けた第２フック部との間に介挿部材７を常時前記第２方向へ付勢せしめる引張スプリングを設けても良い。
【００７３】
ここで、光コネクタ用工具５は、介挿部材駆動部１５がコネクタホルダ部１３を含んで、全体が合成樹脂で一体成形された１部品になっている。但し、この発明においては、これに限定されず、例えば、介挿部材駆動部１５に、これとは別体のコネクタホルダ部１３を組み付けたもの等、複数部品によって形成されたものであっても構わない。また、介挿部材駆動部１５自体、コネクタホルダ部１３自体も、それぞれ、１部品によって形成されたものに限定されず、複数部品で組み立てたものであっても良い。
【００７４】
次に、この発明の実施の形態に係る工具付き光コネクタ１及び光コネクタ用工具５の作用について説明する。
【００７５】
工具付き光コネクタ１は、前述したように、光コネクタ３の外側に光コネクタ用工具５を装着した構成のものである。すなわち、工具付き光コネクタ１においては、光コネクタ用工具５の収容凹所１３Ａに光コネクタ３を収容し、さらに、介挿部材７をクランプ部３Ｂの素子３Ｈ、３Ｈ３の間に割り込ませた状態とすることで、光コネクタ３に組み付けられて出荷され、所謂、工具付き光コネクタ１の一部を構成するものになっている。
【００７６】
そこで、光コネクタ用工具５を光コネクタ３の外側に装着した後に光コネクタ３に光ファイバを接続するときの作用について説明する。
【００７７】
図８（Ａ）を参照するに、コネクタホルダ部１３の側壁１３Ｂ、１３Ｃ並びにコネクタ受け台１３Ｇ、１３Ｈが左右に開かれる。この開かれた収容凹所１３Ａ内に光コネクタ３のプラグフレーム３Ｃが収容されるように、且つ光コネクタ３のストップリング３Ｄがコネクタ受け台１３Ｇ、１３Ｈのコネクタ嵌合凹部１３Ｉにより両側から押し当てられるように側壁１３Ｂ、１３Ｃ並びにコネクタ受け台１３Ｇ、１３Ｈを閉じることにより、さらには、光コネクタ３が保持爪部１３Ｅ、１３Ｆで底壁１３Ｄのストッパ壁部１５Ａへ押さえられることにより、光コネクタ３が介挿部材駆動部１５の中心軸線に対して所望の姿勢で支持されるように装着される。
【００７８】
このとき、介挿部材駆動部１５は原位置にあり、図６（Ａ）に示されているように介挿部材７は弾性片２３の付勢力により介挿部材７の基部７Ｄに設けた接触突部７Ｇを介して介挿部材保持部１９へ押し付けられているので、介挿部材保持部１９と基部７Ｄの間には隙間部２１が生じていない。
【００７９】
次に、前記介挿部材駆動部１５の原位置にある可動端部１５Ｂが図８（Ｂ）に示されているように矢印の第１方向に押圧されると、介挿部材駆動部１５の変形によって、介挿部材保持部１９に保持されている介挿部材７が図６（Ａ）において下方へ移動された際に、弾性片２３は介挿部材７の基部７Ｄに設けた接触突部７Ｇによって下方へ押圧されて弾性変形される。図６（Ａ）の２点鎖線に示されているように、さらなる介挿部材７の移動によって前記介挿部材７の先端部７Ｃが移動して図８（Ｂ）に示されているように前記素子３Ｈ、３Ｈ３の間に挿入される。このとき、弾性片２３は図６（Ｂ）に示されているように接触突部７Ｇに係合している状態である。
【００８０】
前記介挿部材７の先端部７Ｃが前記素子３Ｈ、３Ｈ３の間に挿入されている場合は、前記可動端部１５Ｂの押圧を解除すると、前記介挿部材駆動部１５がそれ自体の復帰力により原位置へ復帰するが、前記介挿部材７はそのままの状態であるので、図６（Ｂ）及び図８（Ｃ）に示されているように前記介挿部材保持部１９と基部７Ｄの間に隙間部２１が形成されることになる。
【００８１】
しかし、前記介挿部材駆動部１５の原位置にある可動端部１５Ｂを押圧したが、例えば十分に押圧しきれない等の何らかの理由により前記介挿部材７の先端部７Ｃが前記素子３Ｈ、３Ｈ３の間に挿入されない場合は、前記可動端部１５Ｂの押圧を解除すると、前記介挿部材駆動部１５がそれ自体の復帰力により原位置へ復帰すると共に、前記介挿部材７も弾性片２３の付勢力によって第２方向へ持ち上げられ、図６（Ａ）及び図８（Ａ）に示されているように前記介挿部材保持部１９と基部７Ｄの間に生ずべき隙間部２１が解消されることになる。
【００８２】
したがって、上記の隙間部２１が形成されたときは、光コネクタ用工具５の使用者が、前記隙間部２１が生じていることを目視確認することによって、介挿部材７の先端部７Ｃが前記クランプ部３Ｂの素子３Ｈ、３Ｈ３の間に挿入されたことを確実に確認ことができる。一方、上記の隙間部２１が形成されないときは、再度、前記介挿部材駆動部１５の原位置にある可動端部１５Ｂを押圧して前記介挿部材７の先端部７Ｃが前記素子３Ｈ、３Ｈ３の間に挿入されたか否かを前記隙間部２１の有無を目視確認することができる。
【００８３】
上述したように上記の隙間部２１が形成されたことを確認した上で、前述した説明のように、図１０に示されているように光ファイバ９の裸光ファイバ９Ａを露出した先端をストップリング３Ｄの後端部の開口部３Ｄ３に挿入し、光ファイバ９をフェルール３Ａの側への押し込むことによって、光ファイバ９の先端の裸光ファイバ９Ａが溝３Ｋ１、３Ｋ２から調心溝３Ｋに押し込まれてフェルール側光ファイバ１１に確実に突き合わせ接続できる。
【００８４】
この状態で、光コネクタ用工具５を光コネクタ３から離脱させる。この離脱操作は光コネクタ用工具５の両側壁１３Ｂ、１３Ｃの間の収容凹所１３Ａから光コネクタ３を取り出せば良い。
【００８５】
すなわち、介挿部材駆動部１５は、前記可動端部１５Ｂとコネクタホルダ部１３との間に位置する両側の連結壁部１５Ｃ、１５Ｄに対して、図８（Ｄ）の矢印に示されているように対向する両側から押圧力（側圧）を作用させて前記連結壁部１５Ｃ、１５Ｄの間を接近させると、介挿部材駆動部１５の全体の変形によって、前記可動端部１５Ｂとコネクタホルダ部１３との間の距離が増大する。これにより、介挿部材７が底壁１３Ｄから収容凹所１３Ａ内への突出量を減少（あるいは、底壁１３Ｄからの突出を解消）する方向に移動するため、介挿部材７は図６（Ｂ）及び図８（Ｄ）に示されているように介挿部材７のスライド部７Ｅの係止用突部７Ｆが介挿部材保持部１９の係合穴部１９Ａのスライド係止部１９Ｂに係止されて、前記介挿部材７が素子３Ｈ、３Ｈ３の間から抜き出されることになる。
【００８６】
このとき、前記介挿部材７は、素子３Ｈ、３Ｈ３の間から抜き出されたときに、弾性片２３の付勢力により瞬時に第２方向へ持ち上げられて前記隙間部２１が解消されることになる。つまり、前記介挿部材７が素子３Ｈ、３Ｈ３の間から完全に抜き切ったことが確認できる。
【００８７】
なお、図７のような隙間部２１を解消する構造の場合は、介挿部材７が素子３Ｈ、３Ｈ３の間から抜き出されたときに、スプリング２７等の弾性部材の付勢力により介挿部材７を瞬時に第２方向へ持ち上げて前記隙間部２１が解消される。
【００８８】
なお、底壁１３Ｄは光コネクタ３が介挿部材７と一緒に移動することを規制するストッパ壁部１５Ａとして機能することで、介挿部材７を素子３Ｈ、３Ｈ３の間から引き抜くことを円滑に実現できる。
【００８９】
上記のように介挿部材７を一対の素子３Ｈ、３Ｈ３の間から抜き出す離脱作業が完了すると、光ファイバ９、１１がバネ３Ｊの弾性によって一対の素子３Ｈ、３Ｈ３の間に挟み込まれるようにしてクランプ固定される。これにより、光ファイバ９、１１同士の接続状態が安定に維持される。これにより、光ファイバ９の先端に光コネクタ３が組み立てられることになる。
【００９０】
以上のように、光コネクタ用工具５の使用者が前記隙間部２１の有無を目視確認することで、前記介挿部材７の先端部７Ｃが素子３Ｈ、３Ｈ３の間に挿入されたこと、並びに前記介挿部材７の先端部７Ｃが素子３Ｈ、３Ｈ３の間から完全に抜けきったことを確実に確認できる。したがって、介挿部材７の素子３Ｈ、３Ｈ３の間からの不完全な抜き出しがなくなるため、光ファイバ９、１１同士の接続不良の発生をなくすることができる。
【００９１】
また、この発明の実施の形態に係る光コネクタ用工具５は、単独で、つまり光コネクタ３から分離した状態で現場等に供給され、必要に応じて光コネクタ３に組み付けて、光ファイバ先端への光コネクタ３の組み立てに利用することも可能である。あるいは、光コネクタ用工具５は、すでに光ファイバ先端に組み立てられている光コネクタに組み付けて、前記光コネクタを光ファイバから離脱させる作業等にも利用できる。すなわち、開放部材としても機能する。
【００９２】
また、前述した隙間部２１を形成する介挿部材保持部１９と各介挿部材７の基部７Ｄとの相対面７Ｈの近傍には、前記隙間部２１を識別するために例えば図５に示されているように矢印などの識別マーク２９を設けることができる。これにより、隙間部２１の有無を容易に識別できる。
【００９３】
あるいは、前述した隙間部２１には、例えば介挿部材７のスライド部７Ｅの隙間部２１となる部分に、図５に示されているように識別用の着色部３１を付すこともできる。これにより、隙間部２１の有無を容易に識別できる。
【図面の簡単な説明】
【００９４】
【図１】この発明の実施の形態の光コネクタ用工具及び工具付き光コネクタを示す斜視図である。
【図２】図１の光コネクタ用工具を示す斜視図である。
【図３】図２の光コネクタ用工具を示す正面図である。
【図４】図１の工具付き光コネクタを示す正面図である。
【図５】図１の光コネクタ用工具の介挿部材７を示す斜視図である。
【図６】（Ａ），（Ｂ）は、図１の光コネクタ用工具の介挿部材と介挿部材駆動部の介挿部材保持部との関係を示す側部断面図である。
【図７】（Ａ），（Ｂ）は、図６に代わる他の実施の形態の構造の側部断面図である。
【図８】（Ａ）〜（Ｄ）は、図１の工具付き光コネクタの介挿部材駆動部を加圧したときの、介挿部材駆動部の変形状態と介挿部材が光コネクタに挿脱される状態を示す動作説明図である。
【図９】図１の光コネクタ（光コネクタプラグ）の分解斜視図である。
【図１０】図９の光コネクタ（光コネクタプラグ）の断面図である。
【図１１】図９の光コネクタに内蔵されているクランプ部付きフェルールを示す斜視図である。
【図１２】図１１のクランプ部付きフェルールのクランプ部を構成する各素子の合わせ面を示す図である。
【図１３】図９の光コネクタを示す平面図である。
【図１４】（Ａ）、（Ｂ）は、介挿部材の先端形状の別態様を示す側面図である。
【符号の説明】
【００９５】
１  工具付き光コネクタ
３  光コネクタ
３Ａ  フェルール
３Ｂ  クランプ部
３Ｃ  プラグフレーム
３Ｇ  クランプ部付きフェルール
３Ｈ  素子
３Ｈ１、３Ｈ２  蓋側素子（素子３Ｈ）
３Ｈ３  ベース側素子（延出部３Ａ３に該当）
３Ｊ  バネ
５  光コネクタ用工具
７、７Ａ、７Ｂ  介挿部材
７Ｃ、７Ｃ１、７Ｃ２  先端部
７Ｄ  基部
７Ｅ  スライド部
７Ｆ  係止用突部
７Ｇ  接触突部
７Ｈ  相対面
９  光ファイバ（フェルール側の）
９Ａ  裸光ファイバ
１１  光ファイバ
１３  コネクタホルダ部
１３Ａ  収容凹所
１３Ｂ、１３Ｃ  側壁
１３Ｄ  底壁
１３Ｅ、１３Ｆ  保持爪部
１５  介挿部材駆動部
１５Ａ  ストッパ壁部
１５Ｂ  可動端部
１５Ｃ、１５Ｄ  側部
１５Ｅ  連結プレート部
１７  介挿部材用窓部
１９  介挿部材保持部
２１  隙間部
２３  弾性片
２５  スプリング装着用穴部
２７  スプリング
２９  識別マーク
３１  着色部
【図１】
0004812435.tif 000002
【図２】
0004812435.tif 000003
【図３】
0004812435.tif 000004
【図４】
0004812435.tif 000005
【図５】
0004812435.tif 000006
【図６】
0004812435.tif 000007
【図７】
0004812435.tif 000008
【図８】
0004812435.tif 000009
【図９】
0004812435.tif 000010
【図１０】
0004812435.tif 000011
【図１１】
0004812435.tif 000012
【図１２】
0004812435.tif 000013
【図１３】
0004812435.tif 000014
【図１４】
0004812435.tif 000015